(57)【要約】【課題】機密文書に関するジョブの実行を指示したユーザの特定が可能なことにより、ユーザの不正使用に対する心理的抑制効果を高め、機密文書の漏洩を抑制することができる画像形成システムおよび画像形成装置を提供する。【解決手段】本発明の画像形成システムは、ジョブの実行を指示するユーザの顔を撮像可能な撮像手段と、ジョブで処理される文書が機密文書であるか否かを判断する文書判断手段と、文書判断手段により文書が機密文書であると判断される場合、撮像手段によりユーザの顔を撮像してユーザの顔画像データを取得する取得手段と、取得手段により取得された顔画像データを記憶する顔画像記憶手段と、顔画像記憶手段に記憶されている顔画像データを出力する出力手段と、を有する。【選択図】図１
2010267101.tif 000002
【特許請求の範囲】
【請求項１】
ジョブの実行を指示するユーザの顔を撮像可能な撮像手段と、
前記ジョブで処理される文書が機密文書であるか否かを判断する文書判断手段と、
前記文書判断手段により前記文書が機密文書であると判断される場合、前記撮像手段により前記ユーザの顔を撮像して当該ユーザの顔画像データを取得する取得手段と、
前記取得手段により取得された前記顔画像データを記憶する顔画像記憶手段と、
前記顔画像記憶手段に記憶されている前記顔画像データを出力する出力手段と、
を有することを特徴とする画像形成システム。
【請求項２】
前記取得手段により前記顔画像データが取得されたか否かを判断する画像判断手段と、
前記画像判断手段により前記顔画像データが取得されたと判断される場合、前記画像形成システムによる前記ジョブの実行を許可する一方で、前記画像判断手段により前記顔画像データが取得されていないと判断される場合、前記画像形成システムによる前記ジョブの実行を禁止する実行制御手段と、をさらに有することを特徴とする請求項１に記載の画像形成システム。
【請求項３】
前記文書判断手段により前記文書が機密文書でないと判断される場合、前記取得手段により前記顔画像データを取得することなく、前記画像形成システムによる前記ジョブの実行を許可する撮像制御手段をさらに有することを特徴とする請求項１または２に記載の画像形成システム。
【請求項４】
前記機密文書の画像データを記憶する文書画像記憶手段をさらに有し、
前記機密文書を閲覧する権限を有するオペレータによる指示に応じて、前記出力手段は、前記顔画像データとともに、前記機密文書の画像データを出力することを特徴とする請求項１〜３のいずれか１項に記載の画像形成システム。
【請求項５】
前記顔画像データは、前記ジョブが実行されたことを示す実行情報と関連付けられて前記顔画像記憶手段に記憶され、
オペレータによる前記実行情報の選択に応じて、前記出力手段は、前記選択された実行情報と関連付けられている前記顔画像データを出力することを特徴とする請求項１〜４のいずれか１項に記載の画像形成システム。
【請求項６】
前記ユーザによる識別情報の入力を受付ける受付手段と、
前記受付手段により前記識別情報が受付けられる場合、前記実行情報と関連付けて当該識別情報を記憶する識別情報記憶手段と、をさらに有することを特徴とする請求項５に記載の画像形成システム。
【請求項７】
原稿を読み取ることによって前記文書の画像データを取得する読取手段をさらに有し、
前記文書判断手段は、前記読取手段により取得された前記文書の画像データに含まれる機密に関する所定の画像情報を検出することにより、前記文書が機密文書であるか否かを判断することを特徴とする請求項１〜６のいずれか１項に記載の画像形成システム。
【請求項８】
前記ジョブで処理される文書は、所定のファイル形式の文書であり、
前記文書判断手段は、前記文書の機密に関する属性情報に基づいて、前記文書が機密文書であるか否かを判断することを特徴とする請求項１〜６のいずれか１項に記載の画像形成システム。
【請求項９】
実行を指示されたジョブで処理される文書が機密文書であるか否かを判断する文書判断手段と、
前記文書判断手段により前記文書が機密文書であると判断される場合、撮像手段により前記ジョブの実行を指示するユーザの顔を撮像して当該ユーザの顔画像データを取得する取得手段と、
前記取得手段により取得された前記顔画像データを記憶する顔画像記憶手段と、
前記顔画像記憶手段に記憶されている前記顔画像データを出力する出力手段と、
を有することを特徴とする画像形成装置。
【請求項１０】
前記取得手段により前記顔画像データが取得されたか否かを判断する画像判断手段と、
前記画像判断手段により前記顔画像データが取得されたと判断される場合、前記画像形成装置による前記ジョブの実行を許可する一方で、前記画像判断手段により前記顔画像データが取得されていないと判断される場合、前記画像形成装置による前記ジョブの実行を禁止する実行制御手段と、をさらに有することを特徴とする請求項９に記載の画像形成装置。
【請求項１１】
前記文書判断手段により前記文書が機密文書でないと判断される場合、前記取得手段により前記顔画像データを取得することなく、前記画像形成装置による前記ジョブの実行を許可する撮像制御手段をさらに有することを特徴とする請求項９または１０に記載の画像形成装置。
【請求項１２】
前記機密文書の画像データを記憶する文書画像記憶手段をさらに有し、
前記機密文書を閲覧する権限を有するオペレータによる指示に応じて、前記出力手段は、前記顔画像データとともに、前記機密文書の画像データを出力することを特徴とする請求項９〜１１のいずれか１項に記載の画像形成装置。
【請求項１３】
前記顔画像データは、前記ジョブが実行されたことを示す実行情報と関連付けられて前記顔画像記憶手段に記憶され、
オペレータによる前記実行情報の選択に応じて、前記出力手段は、前記選択された実行情報と関連付けられている前記顔画像データを出力することを特徴とする請求項９〜１２のいずれか１項に記載の画像形成装置。
【請求項１４】
前記ユーザによる識別情報の入力を受付ける受付手段と、
前記受付手段により前記識別情報が受付けられる場合、前記実行情報と関連付けて当該識別情報を記憶する識別情報記憶手段と、をさらに有することを特徴とする請求項１３に記載の画像形成装置。
【請求項１５】
原稿を読み取ることによって前記文書の画像データを取得する読取手段をさらに有し、
前記文書判断手段は、前記読取手段により取得された前記文書の画像データに含まれる機密に関する所定の画像情報を検出することにより、前記文書が機密文書であるか否かを判断することを特徴とする請求項９〜１４のいずれか１項に記載の画像形成装置。
【請求項１６】
前記ジョブで処理される文書は、所定のファイル形式の文書であり、
前記文書判断手段は、前記文書の機密に関する属性情報に基づいて、前記文書が機密文書であるか否かを判断することを特徴とする請求項９〜１４のいずれか１項に記載の画像形成装置。
【発明の詳細な説明】
【技術分野】
【０００１】
本発明は、画像形成システムおよび画像形成装置に関する。本発明は、特に、機密文書に関するジョブを処理する画像形成システムおよび画像形成装置に関する。
【背景技術】
【０００２】
機密情報の漏洩を防止するために、ＰＩＮコードやＩＣカードを用いてユーザを認証することにより、ＭＦＰ（Ｍｕｌｔｉ−Ｆｕｎｃｔｉｏｎ  Ｐｅｒｉｐｈｅｒａｌ）等の画像形成装置による文書の複写や印刷を制限する技術が知られている。このようなユーザ認証技術によれば、未登録のユーザによる機密文書の不正な複写や印刷が防止される。
【０００３】
しかしながら、ＰＩＮコードやＩＣカードを用いるユーザ認証技術では、たとえば、未登録のユーザが、登録されている他のユーザのＰＩＮコードまたはＩＣカードを使用してユーザ認証を受けるおそれがある。すなわち、ＰＩＮコードやＩＣカードを用いるユーザ認証技術では、ユーザを確実に特定することができないおそれがあり、機密文書の不正な複写や印刷に対する十分な抑制効果が得られない。したがって、画像形成装置で機密文書の複写や印刷を行ったユーザを確実に特定することにより、機密文書の漏洩を抑制することが望まれている。
【０００４】
なお、複写機を使用するユーザを特定する技術として、ユーザの顔をＣＣＤ等の撮像装置で撮像してユーザの顔画像を取得し、取得された顔画像に基づいてユーザを特定する技術が知られている（特許文献１参照）。しかしながら、この技術は、複写される文書の機密性とは無関係に、常時、ユーザの顔を撮像して顔画像を取得するものであり、機密文書の不正な複写を防止するものではない。
【先行技術文献】
【特許文献】
【０００５】
【特許文献１】特開２００１−３４１２８号公報
【発明の概要】
【発明が解決しようとする課題】
【０００６】
本発明は、上述した課題に鑑みてなされたものである。したがって、本発明の目的は、機密文書に関するジョブの実行を指示したユーザの特定が可能なことにより、ユーザの不正使用に対する心理的抑制効果を高め、機密文書の漏洩を抑制することができる画像形成システムおよび画像形成装置を提供することである。
【課題を解決するための手段】
【０００７】
本発明の上記目的は、下記の手段によって達成される。
【０００８】
（１）ジョブの実行を指示するユーザの顔を撮像可能な撮像手段と、前記ジョブで処理される文書が機密文書であるか否かを判断する文書判断手段と、前記文書判断手段により前記文書が機密文書であると判断される場合、前記撮像手段により前記ユーザの顔を撮像して当該ユーザの顔画像データを取得する取得手段と、前記取得手段により取得された前記顔画像データを記憶する顔画像記憶手段と、前記顔画像記憶手段に記憶されている前記顔画像データを出力する出力手段と、を有することを特徴とする画像形成システム。
【０００９】
（２）前記取得手段により前記顔画像データが取得されたか否かを判断する画像判断手段と、前記画像判断手段により前記顔画像データが取得されたと判断される場合、前記画像形成システムによる前記ジョブの実行を許可する一方で、前記画像判断手段により前記顔画像データが取得されていないと判断される場合、前記画像形成システムによる前記ジョブの実行を禁止する実行制御手段と、をさらに有することを特徴とする上記（１）に記載の画像形成システム。
【００１０】
（３）前記文書判断手段により前記文書が機密文書でないと判断される場合、前記取得手段により前記顔画像データを取得することなく、前記画像形成システムによる前記ジョブの実行を許可する撮像制御手段をさらに有することを特徴とする上記（１）または（２）に記載の画像形成システム。
【００１１】
（４）前記機密文書の画像データを記憶する文書画像記憶手段をさらに有し、前記機密文書を閲覧する権限を有するオペレータによる指示に応じて、前記出力手段は、前記顔画像データとともに、前記機密文書の画像データを出力することを特徴とする上記（１）〜（３）のいずれか一つに記載の画像形成システム。
【００１２】
（５）前記顔画像データは、前記ジョブが実行されたことを示す実行情報と関連付けられて前記顔画像記憶手段に記憶され、オペレータによる前記実行情報の選択に応じて、前記出力手段は、前記選択された実行情報と関連付けられている前記顔画像データを出力することを特徴とする上記（１）〜（４）のいずれか一つに記載の画像形成システム。
【００１３】
（６）前記ユーザによる識別情報の入力を受付ける受付手段と、前記受付手段により前記識別情報が受付けられる場合、前記実行情報と関連付けて当該識別情報を記憶する識別情報記憶手段と、をさらに有することを特徴とする上記（５）に記載の画像形成システム。
【００１４】
（７）原稿を読み取ることによって前記文書の画像データを取得する読取手段をさらに有し、前記文書判断手段は、前記読取手段により取得された前記文書の画像データに含まれる機密に関する所定の画像情報を検出することにより、前記文書が機密文書であるか否かを判断することを特徴とする上記（１）〜（６）のいずれか一つに記載の画像形成システム。
【００１５】
（８）前記ジョブで処理される文書は、所定のファイル形式の文書であり、前記文書判断手段は、前記文書の機密に関する属性情報に基づいて、前記文書が機密文書であるか否かを判断することを特徴とする上記（１）〜（６）のいずれか一つに記載の画像形成システム。
【００１６】
（９）実行を指示されたジョブで処理される文書が機密文書であるか否かを判断する文書判断手段と、前記文書判断手段により前記文書が機密文書であると判断される場合、撮像手段により前記ジョブの実行を指示するユーザの顔を撮像して当該ユーザの顔画像データを取得する取得手段と、前記取得手段により取得された前記顔画像データを記憶する顔画像記憶手段と、前記顔画像記憶手段に記憶されている前記顔画像データを出力する出力手段と、を有することを特徴とする画像形成装置。
【００１７】
（１０）前記取得手段により前記顔画像データが取得されたか否かを判断する画像判断手段と、前記画像判断手段により前記顔画像データが取得されたと判断される場合、前記画像形成装置による前記ジョブの実行を許可する一方で、前記画像判断手段により前記顔画像データが取得されていないと判断される場合、前記画像形成装置による前記ジョブの実行を禁止する実行制御手段と、をさらに有することを特徴とする上記（９）に記載の画像形成装置。
【００１８】
（１１）前記文書判断手段により前記文書が機密文書でないと判断される場合、前記取得手段により前記顔画像データを取得することなく、前記画像形成装置による前記ジョブの実行を許可する撮像制御手段をさらに有することを特徴とする上記（９）または（１０）に記載の画像形成装置。
【００１９】
（１２）前記機密文書の画像データを記憶する文書画像記憶手段をさらに有し、前記機密文書を閲覧する権限を有するオペレータによる指示に応じて、前記出力手段は、前記顔画像データとともに、前記機密文書の画像データを出力することを特徴とする上記（９）〜（１１）のいずれか一つに記載の画像形成装置。
【００２０】
（１３）前記顔画像データは、前記ジョブが実行されたことを示す実行情報と関連付けられて前記顔画像記憶手段に記憶され、オペレータによる前記実行情報の選択に応じて、前記出力手段は、前記選択された実行情報と関連付けられている前記顔画像データを出力することを特徴とする上記（９）〜（１２）のいずれか一つに記載の画像形成装置。
【００２１】
（１４）前記ユーザによる識別情報の入力を受付ける受付手段と、前記受付手段により前記識別情報が受付けられる場合、前記実行情報と関連付けて当該識別情報を記憶する識別情報記憶手段と、をさらに有することを特徴とする上記（１３）に記載の画像形成装置。
【００２２】
（１５）原稿を読み取ることによって前記文書の画像データを取得する読取手段をさらに有し、前記文書判断手段は、前記読取手段により取得された前記文書の画像データに含まれる機密に関する所定の画像情報を検出することにより、前記文書が機密文書であるか否かを判断することを特徴とする上記（９）〜（１４）のいずれか一つに記載の画像形成装置。
【００２３】
（１６）前記ジョブで処理される文書は、所定のファイル形式の文書であり、前記文書判断手段は、前記文書の機密に関する属性情報に基づいて、前記文書が機密文書であるか否かを判断することを特徴とする上記（９）〜（１４）のいずれか一つに記載の画像形成装置。
【発明の効果】
【００２４】
本発明によれば、機密文書に関するジョブの実行が指示される場合、ユーザの顔画像データが取得されるため、ジョブの実行後に、顔画像を参照して、ジョブの実行を指示したユーザを特定することが可能となる。したがって、ユーザの不正使用に対する心理的抑制効果を高め、機密文書の漏洩を抑制することができる。
【図面の簡単な説明】
【００２５】
【図１】本発明の一実施形態に係る画像形成システムの全体構成を示すブロック図である。
【図２】図１に示されるクライアントＰＣの構成を示すブロック図である。
【図３】図１に示されるＭＦＰの構成を示すブロック図である。
【図４】図１に示される画像形成システムのソフトウエア構成を示す機能ブロック図である。
【図５】図１に示されるＭＦＰによる複写処理を説明するためのフローチャートである。
【図６】図５に後続する処理を示すフローチャートである。
【図７】図５のステップＳ１０４に示される機密文書判定処理を説明するためのフローチャートである。
【図８】図１に示されるＭＦＰによる履歴表示処理を説明するためのフローチャートである。
【図９】機密文書操作履歴一覧の一例を示す図である。
【図１０】オペレータＩＤ入力画面の一例を示す図である。
【図１１】図１１（Ａ）は、機密文書画像入り表示画像の一例を示す図であり、図１１（Ｂ）は、機密文書画像無し表示画像の一例を示す図である。
【図１２】図１に示されるクライアントＰＣによる印刷指示処理を説明するためのフローチャートである。
【図１３】図１２に後続する処理を示すフローチャートである。
【図１４】図１に示されるＭＦＰによる印刷処理を説明するためのフローチャートである。
【発明を実施するための形態】
【００２６】
以下、本発明の実施の形態を、図面を参照して詳細に説明する。
【００２７】
図１は、本発明の一実施形態に係る画像形成システムの全体構成を示すブロック図である。
【００２８】
図１に示されるとおり、本実施形態に係る画像形成システムは、クライアントＰＣ１００と、ＭＦＰ２００とを備え、これらはネットワーク３００を介して相互に通信可能に接続されている。クライアントＰＣ１００およびＭＦＰ２００には、カメラ１５０，２５０がそれぞれ備えられている。カメラ１５０は、クライアントＰＣ１００に装備されたＷｅｂカメラであり、カメラ２５０は、専用のＣＣＤカメラである。
【００２９】
ネットワーク３００は、たとえば、イーサネット（登録商標）、トークンリング、およびＦＤＤＩ等の規格によりコンピュータやネットワーク機器同士を接続したＬＡＮ、またはＬＡＮ同士を専用線で接続したＷＡＮ等の各種のネットワークからなる。なお、ネットワーク３００に接続される機器の種類および台数は、図１に示す例に限定されない。また、クライアントＰＣ１００とＭＦＰ２００とは、ネットワーク３００を介することなく直接機器間で接続（ローカル接続）されていてもよい。
【００３０】
図２は、図１に示されるクライアントＰＣの構成を示すブロック図である。クライアントＰＣ１００は、ＣＰＵ１０１、ＲＯＭ１０２、ＲＡＭ１０３、ハードディスク１０４、ディスプレイ１０５、入力装置１０６、専用ビデオインタフェース１０７、および通信インタフェース１０８を備えており、これらは信号をやり取りするためのバス１０９を介して相互に接続されている。
【００３１】
ＣＰＵ１０１は、プログラムにしたがって、上記各部の制御や各種の演算処理を行う。ＲＯＭ１０２は、各種プログラムや各種データを格納する。ＲＡＭ１０３は、作業領域として一時的にプログラムやデータを記憶する。ハードディスク１０４は、オペレーティングシステムを含む各種プログラムや各種データを格納する。ハードディスク１０４には、文書ファイルを閲覧および編集するためのアプリケーションと、文書ファイルをＭＦＰ２００が解釈可能な言語（たとえば、ＰｏｓｔＳｃｒｉｐｔ（登録商標）等のページ記述言語）で記述された印刷データに変換するためのプリンタドライバとがインストールされている。
【００３２】
ディスプレイ１０５は、各種の情報を表示する。入力装置１０６は、マウス等のポインティングデバイスやキーボードであり、各種の入力を行うために使用される。
【００３３】
専用ビデオインタフェース１０７は、カメラ１５０と通信するためのインタフェースであり、ＲＳ−２３２Ｃ、ＩＥＥＥ１３９４、ＵＳＢ等のシリアルインタフェースによるものや、ＩＥＥＥ１２８４等のパラレルインタフェースによるものの他、独自の規格によるものであってもよい。通信インタフェース１０８は、ネットワーク３００を介して他の機器と通信するためのインタフェースであり、イーサネット（登録商標）、トークンリング、ＦＤＤＩ等の規格が用いられる。
【００３４】
図３は、図１に示されるＭＦＰの構成を示すブロック図である。ＭＦＰ２００は、ＣＰＵ２０１、ＲＯＭ２０２、ＲＡＭ２０３、ハードディスク２０４、操作パネル部２０５、画像読取部２０６、印刷部２０７、画像撮像部２０８、専用ビデオインタフェース２０９、および通信インタフェース２１０を含み、これらは信号をやり取りするためのバス２１１を介して相互に接続されている。なお、ＭＦＰ２００の上記各部のうち、クライアントＰＣ１００の上記各部と同様の機能を有する部分については、説明の重複を避けるためその説明を省略する。
【００３５】
操作パネル部２０５は、各種情報の表示および各種指示の入力に使用される。画像読取部２０６は、原稿を読み取ることによって画像データを得る。画像読取部２０６は、原稿台の所定の読み取り位置にセットされた原稿またはＡＤＦ（Ａｕｔｏ  Ｄｏｃｕｍｅｎｔ  Ｆｅｅｄｅｒ：自動原稿搬送装置）により所定の読取位置に搬送された原稿に蛍光ランプ等の光源で光を当て、その反射光をＣＣＤ等の受光素子で光電変換して、その電気信号から画像データを生成する。
【００３６】
印刷部２０７は、電子写真式プロセス等の周知の作像プロセスを用いて各種データに基づく画像を用紙等の記録材上に印刷する。画像撮像部２０８は、カメラ２５０を制御するために使用される。
【００３７】
なお、クライアントＰＣ１００およびＭＦＰ２００は、それぞれ、上記した構成要素以外の構成要素を含んでいてもよく、あるいは、上記した構成要素のうちの一部が含まれていなくてもよい。また、本実施形態とは異なり、カメラ２５０が、ＭＦＰ２００に内蔵されていてもよい。
【００３８】
次に、図４を参照して、本実施形態の画像形成システムの動作について説明する。
【００３９】
図４は、図１に示される画像形成システムのソフトウエア構成を示す機能ブロック図である。
【００４０】
図４に示されるとおり、ＭＦＰ２００は、原稿読込み処理部２２１、機密文書判定処理部２２２、顔画像読込み処理部２２３、パネル操作履歴記録部２２４、機密文書操作履歴作成処理部２２５、機密文書操作履歴一覧表示処理部２２６、オペレータＩＤ確認処理部２２７、および機密文書操作履歴表示処理部２２８を有している。
【００４１】
原稿読込み処理部２２１は、画像読取部２０６が原稿を読み取ることにより生成される原稿の画像データを取得する。機密文書判定処理部２２２は、原稿の文書が機密文書であるか否かを判定する。顔画像読込み処理部２２３は、カメラ２５０によりユーザの顔を撮像して顔画像データを作成する。パネル操作履歴記録部２２４は、操作パネル部２０５に対するユーザの操作履歴を示す履歴情報を作成する。機密文書操作履歴作成処理部２２５は、原稿の画像データ、顔画像データ、および履歴情報を含む機密文書作操履歴情報を作成する。機密文書操作履歴情報は、ＭＦＰ２００のハードディスク２０４に記憶される。機密文書操作履歴一覧表示処理部２２６は、ハードディスク２０４に記憶されている機密文書操作履歴情報の一覧を表示する。オペレータＩＤ確認処理部２２７は、オペレータにより入力されるオペレータＩＤを確認する。機密文書操作履歴表示処理部２２８は、機密文書操作履歴情報を表示する。
【００４２】
また、クライアントＰＣ１００は、機密文書判定処理部１２１、顔画像読込み処理部１２２、印刷履歴記録部１２３、機密文書情報作成処理部１２４、および印刷データ送信処理部１２５を有している。
【００４３】
機密文書判定処理部１２１は、印刷が指示される文書が機密文書であるか否かを判定する。顔画像読込み処理部１２２は、カメラ１５０によりユーザの顔を撮像して顔画像データを作成する。印刷履歴記録部１２３は、印刷指示の履歴を示す履歴情報を作成する。機密文書情報作成処理部１２４は、顔画像データおよび履歴情報を含む機密文書情報を作成する。印刷データ送信処理部１２５は、機密文書情報および印刷データを送信する。機密文書情報および印刷データは、ＭＦＰ２００の機密文書操作履歴作成処理部２２５に送信され、印刷データから原稿の画像データが生成された後、機密文書作操履歴情報として、ＭＦＰ２００のハードディスク２０４に記憶される。
【００４４】
なお、クライアントＰＣ１００およびＭＦＰ２００の上記各部の機能は、ハードディスク１０４，２０４等の記憶部に保存されているプログラムがＲＡＭ１０３，２０３上に読み出されて実行されることによってそれぞれ発揮される。
【００４５】
次に、図５〜図１１を参照して、本実施形態に係る画像形成システムの動作について説明する。なお、以下では、ユーザがＭＦＰ２００で文書の複写を行う場合を例に挙げて説明する。
【００４６】
図５および図６は、図１に示されるＭＦＰによる複写処理を説明するためのフローチャートである。なお、図５および図６のフローチャートにより示されるアルゴリズムは、ＭＦＰ２００のハードディスク２０４等の記憶部にプログラムとして記憶されており、ＣＰＵ２０１によって実行される。
【００４７】
図５および図６に示されるとおり、本実施形態の複写処理では、まず、コピー設定が受付けられる（ステップＳ１０１）。本実施形態では、ユーザによりＭＦＰ２００に原稿がセットされた後、ユーザ操作により入力されるコピー設定が受付けられる。なお、コピー設定の受付けに先立って、ユーザ操作により入力されるユーザＩＤ等の識別情報が受付けられ得る。
【００４８】
次に、スタートボタンが押し下げられたか否かが判断される（ステップＳ１０２）。本実施形態では、ＭＦＰ２００に複写処理の実行を指示するために、操作パネル部２０５のスタートボタンがユーザにより押し下げられたか否かが判断される。
【００４９】
スタートボタンが押し下げられていないと判断される場合（ステップＳ１０２：ＮＯ）、スタートボタンが押し下げられるまでステップＳ１０１以下の処理が繰り返される。一方、スタートボタンが押し下げられたと判断される場合（ステップＳ１０２：ＹＥＳ）、原稿が読み取られる（ステップＳ１０３）。本実施形態では、ＭＦＰ２００の画像読取部２０６により原稿が読み取られ、原稿の画像データが取得される。
【００５０】
次に、機密文書判定処理が実行される（ステップＳ１０４）。本実施形態では、ステップＳ１０３に示す処理で取得された画像データに含まれる所定の画像情報を検出することによって、文書が機密文書であるか否かを判断する機密文書判定処理が実行される。ステップＳ１０４に示される機密文書判定処理の詳細については後述する。
【００５１】
次に、文書が機密文書であるか否かが判断される（ステップＳ１０５）。本実施形態では、ステップＳ１０４に示される機密文書判定処理の判定結果に基づいて、原稿の文書が機密文書であるか否かが判断される。
【００５２】
文書が機密文書でないと判断される場合（ステップＳ１０５：ＮＯ）、通常の複写処理が実行され（ステップＳ１０６）、処理が終了される。一方、文書が機密文書であると判断される場合（ステップＳ１０５：ＹＥＳ）、ユーザの顔を撮像する旨を示すメッセージが表示される（ステップＳ１０７）。本実施形態では、ＭＦＰ２００の操作パネル部２０５に、ユーザの顔を撮像する旨を示すメッセージが表示される。
【００５３】
次に、カメラ２５０が作動され、操作パネル部２０５にカメラ画像が表示される（ステップＳ１０８，Ｓ１０９）。本実施形態では、ＭＦＰ２００に設けられているカメラ２５０が作動され、カメラ２５０で取得される画像が操作パネル部２０５に表示される。
【００５４】
次に、「ＯＫ」操作が実行されたか否かが判断される（ステップＳ１１０）。本実施形態では、撮像を許可するボタンがユーザにより押し下げられたか否かが判断される。「ＯＫ」操作が実行されていないと判断される場合（ステップＳ１１０：ＮＯ）、「ＯＫ」操作が実行されるまで、ステップＳ１０９以下の処理が繰りされる。
【００５５】
一方、「ＯＫ」操作が実行されたと判断される場合（ステップＳ１１０：ＹＥＳ）、ユーザの顔が撮像される（ステップＳ１１１）。本実施形態では、カメラ２５０によりユーザの顔が撮像され、画像データが取得される。
【００５６】
次に、顔画像が評価される（ステップＳ１１２）。本実施形態では、ステップＳ１１１に示す処理で取得された画像データから顔画像データが作成され、顔画像が評価される。具体的には、撮像画像中のユーザの顔が自動認識され、認識された顔に応じた画像領域が切り出されることにより、顔画像データが作成される。そして、顔画像データ中のユーザの顔の向きが評価される。なお、顔画像を評価する処理自体は、一般的な画像処理技術であるため、詳細な説明は省略する。
【００５７】
次に、顔画像が正面画像であるか否かが判断される（ステップＳ１１３）。本実施形態では、ステップＳ１１２に示される顔画像評価処理の評価結果に基づいて、顔画像データ中のユーザの顔が正面を向いたものであるか否かが判断される。
【００５８】
顔画像が正面画像でないと判断される場合（ステップＳ１１３：ＮＯ）、「正面を向いてください」というメッセージが表示され（ステップＳ１１４）、顔画像が正面画像であると判断されるまで、ステップＳ１０９以下の処理が繰り返される。
【００５９】
一方、顔画像が正面画像であると判断される場合（ステップＳ１１３：ＹＥＳ）、顔画像が記録される（ステップＳ１１５）。本実施形態では、ステップＳ１１２に示す処理で得られた顔画像データが、機密文書操作履歴情報として、ＭＦＰ２００のハードディスク２０４に記憶される。
【００６０】
そして、複写処理が実行される（ステップＳ１１６）。本実施形態では、ステップＳ１０３に示す処理で取得された原稿の画像データに基づく画像が用紙上に印刷され、画像が印刷された用紙が出力される。
【００６１】
次に、原稿画像が記憶される（ステップＳ１１７）。本実施形態では、ステップＳ１０３に示す処理で取得された原稿の画像データが、機密文書操作履歴情報として、ＭＦＰ２００のハードディスク２０４に記憶される。
【００６２】
そして、履歴情報が記録され（ステップＳ１１８）、処理が終了される。本実施形態では、ＭＦＰ２００で複写処理が実行された日付および時刻を示す日付情報および時間情報と、操作内容（すなわち、コピー）を示す操作情報とが、機密文書操作履歴情報として、ＭＦＰ２００のハードディスク２０４に記憶される。
【００６３】
以上のとおり、図５および図６に示されるフローチャートの処理によれば、ユーザにより複写が指示される文書が機密文書であるか否かが判断され、文書が機密文書であると判断される場合には、ユーザの顔が撮像される。顔画像データは、履歴情報および原稿の画像データと関連付けられ、機密文書操作履歴情報として、ＭＦＰ２００のハードディスク２０４に記憶される。
【００６４】
図７は、図５のステップＳ１０４に示される機密文書判定処理を説明するためのフローチャートである。
【００６５】
図７に示されるとおり、本実施形態の機密文書判定処理では、まず、画像データ中に機密デジタル情報があるか否かが判断される（ステップＳ２０１）。本実施形態では、図５のステップＳ１０３に示す処理で取得された原稿の画像データ中に、機密文書を示す機密デジタル情報が付加されているか否かが判断される。ここで、機密デジタル情報は、たとえば、原稿に含まれる文字等の図形に埋め込まれたブロックデータである。なお、文字等の図形にブロックデータを埋め込むことにより情報を付加する技術自体は、一般的な情報付加技術であるため、詳細な説明は省略する。
【００６６】
画像データ中に機密デジタル情報があると判断される場合（ステップＳ２０１：ＹＥＳ）、文書が機密文書であると判断され（ステップＳ２０３）、処理が終了される。
【００６７】
一方、画像データ中に機密デジタル情報がないと判断される場合（ステップＳ２０１：ＮＯ）、画像データ中に機密情報文字があるか否かが判断される（ステップＳ２０２）。本実施形態では、図５のステップＳ１０３に示す処理で取得された原稿の画像データ中に、予め登録された「コピー禁止」等の文字情報があるか否かが判断される。
【００６８】
画像データ中に機密情報文字があると判断される場合（ステップＳ２０２：ＹＥＳ）、文書が機密文書であると判断され（ステップＳ２０３）、処理が終了される。一方、画像データ中に機密情報文字がないと判断される場合（ステップＳ２０２：ＮＯ）、文書が機密文書でないと判断され（ステップＳ２０４）、処理が終了される。
【００６９】
以上のとおり、図７に示されるフローチャートの処理によれば、ユーザにより複写が指示された文書が、機密文書であるか否かが判断される。そして、文書が機密文書であると判断される場合、機密文書操作履歴情報が作成され、ＭＦＰ２００のハードディスク２０４に記憶される。
【００７０】
なお、上記実施形態では、ＭＦＰ２００でユーザが文書の複写を行う場合を例に挙げて説明した。しかしながら、ユーザがＭＦＰ２００に文書を読み取らせて文書ファイルを作成したり、ファックス送信したりする場合にも同様の処理が実行される。そして、文書が機密文書であると判断される場合には、機密文書操作履歴情報が作成される。ハードディスク２０４に記憶された機密文書操作履歴情報は、オペレータにより閲覧される。
【００７１】
以下、図８〜図１１を参照して、図１に示されるＭＦＰによる履歴表示処理について説明する。
【００７２】
図８は、図１に示されるＭＦＰによる履歴表示処理を説明するためのフローチャートである。なお、図８のフローチャートにより示されるアルゴリズムは、ＭＦＰ２００のハードディスク２０４等の記憶部にプログラムとして記憶されており、ＣＰＵ２０１によって実行される。
【００７３】
図８に示されるとおり、本実施形態の履歴表示処理では、まず、原稿画像、顔画像、および履歴情報が読み出される（ステップＳ３０１）。本実施形態では、ＭＦＰ２００のハードディスク２０４に記憶されている原稿画像データ、顔画像データ、および履歴情報が読み出される。
【００７４】
次に、履歴一覧が表示される（ステップＳ３０２）。本実施形態では、ステップＳ３０１に示す処理で読み出された履歴情報の一覧が操作パネル部２０５に表示される。
【００７５】
図９は、機密文書操作履歴一覧の一例を示す図である。図９に示されるとおり、機密文書操作履歴一覧４００は、ジョブが実行されたことを示す実行情報としての履歴情報を含む。各履歴情報は、ジョブ番号情報４０１、日付情報４０２、時間情報４０３、操作情報４０４、およびＩＤ情報４０５を含む。ジョブ番号情報４０１は、履歴情報の一覧の中から各履歴情報を特定するためのものである。日付情報４０２および時間情報４０３は、ＭＦＰ２００においてジョブが実行された日時を示すものである。操作情報４０４は、ジョブの操作内容（たとえば、コピー）を示すものである。ＩＤ情報４０５は、ジョブの実行を指示したユーザを特定するものであり、ジョブ実行時にユーザＩＤが受付けられた場合にのみ記録される。なお、本実施形態とは異なり、履歴情報には、ジョブで処理された文書のファイル名または文書の先頭の文字列のような、オペレータにより文書の内容を判別可能な情報が付加されてもよい。
【００７６】
次に、ジョブ番号が受付けられる（ステップＳ３０３）。本実施形態では、ステップＳ３０２に示す処理で表示された履歴情報の一覧の中から、オペレータにより選択される一の履歴情報のジョブ番号が受付けられる。
【００７７】
次に、オペレータＩＤ入力メニューが表示される（ステップＳ３０４）。本実施形態では、図１０に示されるとおり、オペレータにオペレータＩＤの入力を促すオペレータＩＤ入力画面５００が表示される。
【００７８】
次に、オペレータＩＤが受付けられる（ステップＳ３０５）。本実施形態では、ステップＳ３０４に示す処理で表示されたオペレータＩＤ入力画面５００を通じて、オペレータにより入力されるオペレータＩＤが受付けられる。
【００７９】
次に、オペレータに機密文書表示権限があるか否かが判断される（ステップＳ３０６）。本実施形態では、ステップＳ３０５に示す処理で受付けられたオペレータＩＤに基づいて、オペレータが機密文書表示権限を有しているか否かが判断される。
【００８０】
オペレータに機密文書表示権限があると判断される場合（ステップＳ３０６：ＹＥＳ）、機密文書画像入り表示画像が生成され（ステップＳ３０７）、処理が終了される。一方、オペレータに機密文書表示権限がないと判断される場合（ステップＳ３０６：ＮＯ）、機密文書画像無し表示画像が生成され（ステップＳ３０８）、処理が終了される。ステップＳ３０７，Ｓ３０８に示す処理で生成された表示画像は、ＭＦＰ２００の操作パネル部２０５に表示される。
【００８１】
図１１は、機密文書画像入り表示画像および機密文書画像無し表示画像の一例を示す図である。図１１（Ａ）は、機密文書画像入り表示画像の一例を示す図であり、図１１（Ｂ）は、機密文書画像無し表示画像の一例を示す図である。
【００８２】
図１１（Ａ）に示されるとおり、機密文書画像入り表示画像６００ａは、履歴情報６０１、顔画像６０２、および機密文書画像６０３を含む。したがって、オペレータは、機密文書画像入り表示画像６００ａの顔画像６０２から、ＭＦＰ２００で機密文書の複写や印刷等の処理を行ったユーザを特定することができる。また、オペレータは、機密文書画像入り表示画像６００ａの機密文書画像６０３から、ユーザにより複写や印刷等の処理が行われた機密文書の内容を把握することができる。
【００８３】
一方、図１１（Ｂ）に示されるとおり、機密文書画像無し表示画像６００ｂは、履歴情報６０１および顔画像６０２を含み、機密文書画像を含まない。したがって、オペレータは、機密文書画像入り表示画像６００ｂの顔画像６０１から、ＭＦＰ２００で機密文書の複写や印刷等の処理を行ったユーザを特定することができる。しかしながら、オペレータは、機密文書表示権限を有していないため、ユーザにより複写や印刷等の処理が行われた機密文書の内容を把握することはできない。
【００８４】
以上のとおり、図８に示されるフローチャートの処理によれば、機密文書に関する履歴情報の一覧が表示され、オペレータにより選択される一の履歴情報に対応する顔画像がＭＦＰ２００の操作パネル部２０５に表示される。このとき、オペレータの権限に応じて、顔画像とともに、機密文書の画像が操作パネル部２０５に表示される。
【００８５】
そして、本実施形態の画像形成システムによれば、ＭＦＰ２００に対して機密文書に関するジョブの実行が指示される場合、ジョブの履歴情報とともにユーザの顔画像がＭＦＰ２００のハードディスク２０４に記憶されるため、ジョブの実行後に、顔画像を参照して、ジョブの実行を指示したユーザを特定することができる。したがって、ユーザの不正使用に対する心理的抑制効果を高めて、機密文書の不正な複写や印刷による機密文書の漏洩を抑制することができる。
【００８６】
また、本実施形態の画像形成システムによれば、顔画像に基づいてユーザが特定されるため、ＰＩＮコードやＩＣカードを用いてユーザを認証する場合と比べて、ユーザが確実に特定される。また、事前にユーザを登録する登録処理が省略される。さらに、本実施形態の画像形成システムによれば、ユーザの顔画像を常時記憶する場合と比べて、ハードディスクの負荷が低減される。
【００８７】
以上のとおり、説明した本実施形態の画像形成システムでは、ＭＦＰ２００に対してユーザにより機密文書の複写が指示された場合、ＭＦＰ２００に備えられたカメラ２５０によってユーザの顔が撮像された。以下では、ＭＦＰ２００に対してユーザにより機密文書の印刷が指示される場合、クライアントＰＣ１００に備えられたカメラ１５０によってユーザの顔を撮像する処理について述べる。
【００８８】
図１２および図１３は、図１に示されるクライアントＰＣによる印刷指示処理を説明するためのフローチャートである。なお、図１２および図１３のフローチャートにより示されるアルゴリズムは、クライアントＰＣ１００のハードディスク１０４等の記憶部にプログラムとして記憶されており、ＣＰＵ１０１によって実行される。
【００８９】
図１２および図１３に示されるとおり、本実施形態の印刷指示処理では、まず、印刷指示が受付けられる（ステップＳ４０１）。本実施形態では、たとえば、クライアントＰＣ１００のディスプレイ１０５に表示されている文書ファイルについてのユーザによる印刷指示が受付けられる。
【００９０】
次に、機密文書判定処理が実行される（ステップＳ４０２）。本実施形態では、ステップＳ４０１に示す処理で印刷指示された文書ファイルのポリシー情報に基づいて、文書が機密文書であるか否かを判断する機密文書判定処理が実行される。なお、ポリシー情報自体は、一般的な文書ファイルの属性情報であるため、詳細な説明は省略する。
【００９１】
次に、文書が機密文書であるか否かが判断される（ステップＳ４０３）。本実施形態では、ステップＳ４０２に示される機密文書判定処理の判定結果に基づいて、印刷対象の文書が機密文書であるか否かが判断される。
【００９２】
文書が機密文書でないと判断される場合（ステップＳ４０３：ＮＯ）、印刷データがＭＦＰ２００に送信される（ステップＳ４０４）。本実施形態では、印刷指示された文書の印刷データを含む印刷ジョブがＭＦＰ２００に送信される。
【００９３】
一方、文書が機密文書であると判断される場合（ステップＳ４０３：ＹＥＳ）、ユーザの顔を撮像する旨を示すメッセージが表示される（ステップＳ４０５）。本実施形態では、クライアントＰＣ１００のディスプレイ１０５に、ユーザの顔を撮像する旨を示すメッセージが表示される。
【００９４】
次に、カメラ１５０が作動され、ディスプレイ１０５にカメラ画像が表示される（ステップＳ４０６，Ｓ４０７）。本実施形態では、クライアントＰＣ１００に設けられているカメラ１５０が作動され、カメラ１５０で取得される画像がディスプレイ１０５に表示される。
【００９５】
次に、「ＯＫ」操作が実行されたか否かが判断される（ステップＳ４０８）。本実施形態では、撮像を許可するボタンがユーザにより押し下げられたか否かが判断される。「ＯＫ」操作が実行されていないと判断される場合（ステップＳ４０８：ＮＯ）、「ＯＫ」操作が実行されるまで、ステップＳ４０７以下の処理が繰りされる。
【００９６】
一方、「ＯＫ」操作が実行されたと判断される場合（ステップＳ４０８：ＹＥＳ）、ユーザの顔が撮像される（ステップＳ４０９）。本実施形態では、カメラ１５０によりユーザの顔が撮像され、画像データが取得される。
【００９７】
次に、顔画像が評価される（ステップＳ４１０）。本実施形態では、ステップＳ４０９に示す処理で取得された画像データから顔画像データが作成され、顔画像が評価される。具体的には、撮像画像中のユーザの顔が自動認識され、認識された顔に応じた画像領域が切り出されることにより、顔画像データが作成される。そして、顔画像データ中のユーザの顔の向きが評価される。
【００９８】
次に、顔画像が正面画像であるか否かが判断される（ステップＳ４１１）。本実施形態では、ステップＳ４１０に示される顔画像評価処理の評価結果に基づいて、顔画像データ中のユーザの顔が正面を向いたものであるか否かが判断される。
【００９９】
顔画像が正面画像でないと判断される場合（ステップＳ４１１：ＮＯ）、「正面を向いてください」というメッセージが表示され（ステップＳ４１２）、顔画像が正面画像であると判断されるまで、ステップＳ４０７以下の処理が繰り返される。
【０１００】
一方、顔画像が正面画像であると判断される場合（ステップＳ４１１：ＹＥＳ）、顔画像が記録される（ステップＳ４１３）。本実施形態では、ステップＳ４１０に示す処理で得られた顔画像データが、クライアントＰＣ１００のＲＡＭ１０３に記憶される。
【０１０１】
次に、履歴情報が記録される（ステップＳ４１４）。本実施形態では、印刷指示を実行する日付および時刻を示す日付情報および時間情報と、操作内容（すなわち、プリント）を示す操作情報とが、クライアントＰＣ１００のＲＡＭ１０３に記憶される。
【０１０２】
次に、機密文書情報が作成される（ステップＳ４１５）。本実施形態では、ステップＳ４１３，Ｓ４１４に示す処理で記録された顔画像データ、日付情報、時間情報、および操作情報を含む機密文書情報が作成される。
【０１０３】
そして、印刷データおよび機密文書情報がＭＦＰ２００に送信され（ステップＳ４１６）、処理が終了される。本実施形態では、ステップＳ４１５に示す処理で作成された機密文書情報と、印刷指示された文書の印刷データとを含む印刷ジョブがＭＦＰ２００に送信される。
【０１０４】
以上のとおり、図１２および図１３に示されるフローチャートの処理によれば、ユーザにより印刷が指示される文書が機密文書であるか否かが判断され、文書が機密文書であると判断される場合には、ユーザの顔が撮像される。顔画像データは、履歴情報と関連付けられ、印刷データとともにＭＦＰ２００に送信される。
【０１０５】
次に、図１４を参照して、印刷ジョブを実行するＭＦＰ２００の動作について説明する。
【０１０６】
図１４は、図１に示されるＭＦＰによる印刷処理を説明するためのフローチャートである。なお、図１４のフローチャートにより示されるアルゴリズムは、ＭＦＰ２００のハードディスク２０４等の記憶部にプログラムとして記憶されており、ＣＰＵ２０１によって実行される。
【０１０７】
図１４に示されるとおり、本実施形態の印刷処理では、まず、印刷ジョブが受信される（ステップＳ５０１）。本実施形態では、クライアントＰＣ１００から送信された印刷ジョブが受信される。
【０１０８】
次に、印刷ジョブが確認される（ステップＳ５０２）。本実施形態では、ステップＳ５０１に示す処理で受信された印刷ジョブの内容が確認される。具体的には、印刷ジョブに機密文書情報が含まれるか否かが確認される。
【０１０９】
次に、文書が機密文書であるか否かが判断される（ステップＳ５０３）。本実施形態では、ステップＳ５０２に示される確認処理の確認結果に基づいて、印刷対象の文書が機密文書であるか否かが判断される。
【０１１０】
文書が機密文書でないと判断される場合（ステップＳ５０３：ＮＯ）、通常の印刷処理が実行され（ステップＳ５０４）、処理が終了される。本実施形態では、印刷データがラスタライズ処理されて印刷用の画像データが形成され、画像データに基づく画像が用紙上に印刷される。
【０１１１】
一方、文書が機密文書であると判断される場合（ステップＳ５０２：ＮＯ）、機密文書情報が読み込まれる（ステップＳ５０５）。本実施形態では、ステップＳ５０１に示す処理で受信された印刷ジョブに含まれる機密文書情報が読み込まれる。
【０１１２】
次に、顔画像、原稿画像、および履歴情報が記録される（ステップＳ５０６）。本実施形態では、ステップＳ５０５に示す処理で読み込まれた機密文書情報に含まれる顔画像データおよび履歴情報と、印刷データから作成される機密文書の画像データとが、機密文書操作履歴情報として、ＭＦＰ２００のハードディスク２０４に記憶される。そして、印刷処理が実行され（ステップＳ５０７）、処理が終了される。
【０１１３】
以上のとおり、図１４に示されるフローチャートの処理によれば、ユーザにより機密文書の印刷が指示される場合、ユーザの顔画像データが、履歴情報および原稿画像データと関連付けられ、ＭＦＰ２００のハードディスク２０４に記憶される。
【０１１４】
そして、本実施形態の画像形成システムによれば、ＭＦＰ２００に対して機密文書に関するジョブの実行が指示される場合、ジョブの履歴情報とともにユーザの顔画像がＭＦＰのハードディスク２０４に記憶されるため、ジョブの実行後に、顔画像を参照して、ジョブの実行を指示したユーザを特定することができる。したがって、ユーザの不正使用に対する心理的抑制効果を高めて、機密文書の不正な複写や印刷による機密文書の漏洩を抑制することができる。
【０１１５】
なお、上記実施形態では、クライアントＰＣ１００においてユーザの顔画像データおよび履歴情報が作成された。しかしながら、履歴情報は、印刷ジョブを受信したＭＦＰ２００において作成されてもよい。
【０１１６】
本発明は、上記した実施形態のみに限定されるものではなく、特許請求の範囲内において、種々改変することができる。
【０１１７】
たとえば、上記実施形態では、ユーザの顔画像は、ＭＦＰの操作パネル部に表示された。しかしながら、ユーザの顔画像は、ＭＦＰで印刷出力されてもよい。あるいは、ＭＦＰと通信可能な管理用ＰＣのディスプレイに顔画像が表示されてもよい。
【０１１８】
また、上記実施形態では、オペレータによる指示に応じてユーザの顔画像が表示された。しかしながら、オペレータの指示とは無関係に、たとえば、定期的かつ自動的に顔画像が印刷出力されてもよい。さらに、機密文書操作履歴一覧に含まれるすべての履歴情報に対応して、すべての顔画像が一括表示されてもよい。
【０１１９】
本実施形態に係る画像形成システムにおける各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、画像形成システムにおける装置の一機能としてその装置のソフトウエアに組み込まれてもよい。
【符号の説明】
【０１２０】
１００  クライアントＰＣ、
１０１，２０１  ＣＰＵ、
１０２，２０２  ＲＯＭ、
１０３，２０３  ＲＡＭ、
１０４，２０４  ハードディスク、
１０５  ディスプレイ、
１０６  入力装置、
１０７，２０９  専用ビデオインタフェース、
１０８，２１０  通信インタフェース、
１０９，２１１  バス、
１５０，２５０  カメラ、
２００  ＭＦＰ、
２０５  操作パネル部、
２０６  画像読取部、
２０７  印刷部、
２０８  画像撮像部、
３００  ネットワーク、
４００  機密文書操作履歴一覧、
５００  オペレータＩＤ入力画面、
６００ａ  機密文書画像入り表示画像、
６００ｂ  機密文書画像無し表示画像。
【図２】
2010267101.tif 000003
【図３】
2010267101.tif 000004
【図４】
2010267101.tif 000005
【図５】
2010267101.tif 000006
【図６】
2010267101.tif 000007
【図７】
2010267101.tif 000008
【図８】
2010267101.tif 000009
【図９】
2010267101.tif 000010
【図１０】
2010267101.tif 000011
【図１２】
2010267101.tif 000012
【図１３】
2010267101.tif 000013
【図１４】
2010267101.tif 000014
【図１】
2010267101.tif 000015
【図１１】
2010267101.tif 000016